(57)【要約】
【課題】着物ｗと帯ｗ１などを同時にしかも効果的に展示することができ、また複数枚の着物ｗでも効果的に展示することのできるものとする。
【解決手段】左右一対の起立体１、１とこれら起立体１、１間に橋渡し状に載置される衣吊り棒部材２とを備え、前記起立体１のそれぞれは一対の支柱部材３、３と、これら支柱部材３、３の上端部を結合した上梁部材４と、これら支柱部材３、３の長さ途中を結合した中梁部材５と、これら支柱部材３、３の下端部を結合した結合棒部材６とを備えた２つの方形枠体７ａ、７ｂを具備し、且つ一方の前記方形枠体７ａの一つの支柱部材３と他方の前記方形枠体７ｂの一つの支柱部材３とをヒンジ部材８で揺動可能に結合したものとなし、また左右一対の起立体１、１の各上梁部材４の長さ途中の上縁個所には前記衣吊り棒部材２を上方から嵌り込み状に載置される凹み部４ａが形成されている構成となす。
【選択図】図２
0003100066.tif 000002
【実用新案登録請求の範囲】
【請求項１】
　左右一対の起立体とこれら起立体間に橋渡し状に載置される衣吊り棒部材とを備え、前記起立体のそれぞれは一対の支柱部材と、これら支柱部材の上端部を結合した上梁部材と、これら支柱部材の長さ途中を結合した中梁部材と、これら支柱部材の下端部を結合した結合棒部材とを備えた方形枠体を２つ具備し、且つ一方の前記方形枠体の一つの支柱部材と他方の前記方形枠体の一つの支柱部材とをヒンジ部材で揺動可能に枢着したものとなし、また左右一対の起立体の各上梁部材の長さ途中の上縁個所には前記衣吊り棒部材を上方から嵌り込み状に載置される凹み部が形成されていることを特徴とする衣桁。
【請求項２】
　前記方形枠体が高さを凡そ１６０〜１８０ｃｍ程度となされ、巾を凡そ４０〜５０ｃｍ程度となされていることを特徴とする請求項１記載の衣桁。
【請求項３】
　前記衣吊り棒部材が長さを凡そ１６０〜１８０ｃｍ程度となされ、直径を凡そ２〜４ｃｍ程度となされていることを特徴とする請求項１又は２記載の衣桁。
【請求項４】
　前記凹み部をそれぞれの前記上梁部材の長さ方向の中央個所に一つ設けたことを特徴とする請求項１、２又は３記載の衣桁。
【請求項５】
　前記凹み部をそれぞれの前記上梁部材の長さ途中の複数個所に設けたことを特徴とする請求項１、２、３又は４記載の衣桁。
【請求項６】
　前記起立体のそれぞれに前記中梁部材が上下２本あって、上側の中梁部材の高さが凡そ１２０〜１３０ｃｍ程度となされ、下側の中梁部材の高さが凡そ８０〜９０ｃｍ程度となされていることを特徴とする請求項１、２、３、４又は５記載の衣桁。
【考案の詳細な説明】
【技術分野】
【０００１】
　本発明は、全体の柄模様を見せるため着物を広げた状態で掛けるための衣桁に関し、特に着物や帯などを効果的に展示できるようにしたものである。
【背景技術】
【０００２】
　かかる従来から用いられていた衣桁は、図６に示すような構成が採られていた（特許文献１参照）。即ち、所定間隔をもって垂直に立設された丸棒状の２本の支柱部材２１、２１と、該２本の支柱部材２１、２１の略中間どうしを連結するように架け渡された丸棒状の中渡し竿２２と、該２本の支柱部材２１、２１の上端部どうしを着脱可能にして架け渡された丸棒状の上梁竿２３とから衣掛け枠体２４を構成する。そして、衣掛け枠体２４を、所定間隔で配置された略台形状の一組の脚台２５、２５上面に架け渡すようにして取り付けられた長尺角柱状の下梁基材２６の上面に立設させた状態で取り付けることにより、保持するようにしていた。斯かる支柱部材２１、２１、中渡し竿２２、上梁竿２３、脚台２５、２５、及び下梁基材２６は、ぞれぞれ分解組立可能に構成して運搬、収納を便利ならしめていた。
【０００３】
　斯かる衣桁の基本的構成は、古くから変わらず、現在も各種の模様や装飾を施す以外は大きな構成の変更はなかった。このような衣桁は、現在、主に着物ｗの表面に施された柄模様の全体を広げて展示するために使用されている。即ち、支柱部材２１、２１から上梁竿２３を取り外し、これに着物ｗの両袖を一方から突き通すようにして掛けて、上梁竿２３の両端部を左右の袖口から露出させた後、再び支柱部材２１、２１の上端部に嵌合させて架け渡し固定する。そして、裾部を中渡し竿２２の一方側に添わせると共に、左右に一杯に広げて中渡し竿２２の両端付近で止め、さらに振り袖などの長尺袖の場合は中渡し竿２２の同じ側に添わせるようにして展示するものである。
【特許文献１】特開平１０−９９１８１号公報
【考案の開示】
【考案が解決しようとする課題】
【０００４】
　しかし、かかる従来の衣桁は、１枚の着物ｗのみを展示する上では便利に使用されるものとなされているが、着物ｗと一緒に帯などを顧客に見やすい状態に展示するには不十分なものとなっており、また複数枚の着物を並べて展示する上でも不便なものとなっている。
【０００５】
　本発明は、斯かる問題点に鑑みてなされたもので、即ち、着物ｗと帯などを同時にしかも効果的に展示することができ、また複数枚の着物でも効果的に展示することのできる衣桁を提供することを目的とする。
【課題を解決するための手段】
【０００６】
　上記目的を達成するため、本考案は、請求項１に記載したように、左右一対の起立体とこれら起立体間に橋渡し状に載置される衣吊り棒部材とを備え、前記起立体のそれぞれは一対の支柱部材と、これら支柱部材の上端部を結合した上梁部材と、これら支柱部材の長さ途中を結合した中梁部材と、これら支柱部材の下端部を結合した結合棒部材とを備えた方形枠体を２つ具備し、且つ一方の前記方形枠体の一つの支柱部材と他方の前記方形枠体の一つの支柱部材とをヒンジ部材で揺動可能に結合したものとなし、また左右一対の起立体の各上梁部材の長さ途中の上縁個所には前記衣吊り棒部材を上方から嵌り込み状に載置される凹み部が形成されていることを特徴とするものである。
　この考案によれば、左右一対の起立体が着物を掛け吊るした状態の複数又は単数の衣吊り棒部材を安定的に支持するものとなり、また各起立体の方形枠体の中梁部材は帯を掛け吊す上で寄与するものとなるほか、試着中の着物や帯などを一時保持させる上で寄与するものである。
【０００７】
　上記考案は次のように具体化するのがよい。
　即ち、請求項２に記載したように、着物の長さに適応させるため、前記方形枠体は高さを凡そ１６０〜１８０ｃｍ程度となされ、また起立状態の安定性を確保すること及び帯の掛け吊しに都合のよいものとなすことなどのため、巾を凡そ４０〜５０ｃｍ程度となされている。また一枚の着物を展開して展示する上で便利となすため、請求項３に記載したように、前記衣吊り棒が長さを凡そ１６０〜１８０ｃｍ程度となされ、直径を凡そ２〜４ｃｍ程度となされているものとなす。また１枚の着物を安定的に展示する上で便利となすため、請求項４に記載したように、前記凹み部を前記各上梁部材の長さ方向の中央個所に一つ設けたものとなす。さらに複数の着物を同時に展示する上で便利となすため、請求項５に記載したように、前記凹み部を前記各上梁部材の長さ途中の複数個所に設けたものとなす。
　また着物や帯などの掛け吊しをさらに良好となすため、請求項６に記載したように、前記中梁部材が上下２本あって、上側の中梁部材の高さが凡そ１２０〜１３０ｃｍ程度となされ、下側の中梁部材の高さが凡そ８０〜９０ｃｍ程度となされている構成となす。
【考案の効果】
【０００８】
　上記考案によれば次のような効果が得られる。
　即ち、請求項１記載のものによれば、着物は前記衣吊り棒部材に掛け吊して前記起立体の上梁部材の高さに支持でき、また着物の帯などを前記起立体の前記中梁部材に掛け吊すことができのであり、したがって着物と帯などを同時に展示する上で便利に使用できるものである。また着物を掛け吊した前記衣吊り棒部材の複数を同時に左右一対の前記起立体の上梁部材間に支持させることができるため、複数の着物を同時に展示する上で便利に使用できるものである。さらには試着中の着物や帯などを前記中梁部材に掛け吊すことができて一層、便利に使用できるものである。
　また左右の前記起立体や前記衣吊り棒部材のぞれぞれは独立構造であるため、運搬や配置を便利に行うことができ、また種々の態様に配置できることが具体的な展示場所に適合した効果的な着物や帯などの展示を可能となすものである。
　なお、前記衣吊り棒部材を左右の前記起立体の中梁部材間に掛け渡すこともでき、このように使用すると、大人から子供まで一層便利に使用することができる。
【０００９】
　また請求項２記載のものによれば、前記衣吊り棒部材に着物を掛け吊したときに着物の裾が床面に接触するのを防止できるのであり、また前記起立体の起立時の安定性を良好となすことができると共に帯などの掛け吊しに都合のよいものとなすことができる。
【００１０】
　また請求項３記載のものによれば、前記衣吊り棒部材が過不足のない長さ及び太さとなって、一枚の着物を無駄なスペースの生じることなく平面状に展開した状態で掛け吊すことができ且つ着物の絵柄がよく見える状態で展示することができるものである。
【００１１】
　また請求項４記載のものによれば、一枚の着物を掛け吊した状態の前記衣吊り棒部材を左右の前記起立体の前記凹み部に係合させるように載置することで、一枚の着物を極めて安定した状態に且つ見やすい状態に掛け吊すことができる。
【００１２】
　また請求項５記載のものによれば、複数の前記衣吊り棒部材のそれぞれに着物を掛け吊した状態になしてこれら衣吊り棒部材のそれぞれの両端部を左右の前記起立体の前記凹み部に係合させた状態となすことができるのであり、これにより複数の着物を同時に展開した状態に掛け吊して展示することができるようになる。
【００１３】
　さらに請求項６記載のものによれば、前記中梁部材の数が増えたため、着物や帯などをさらに便利に掛け吊すことができるのであり、特に試着する着物や帯などであっても前記中梁部材に多数掛け吊すことができて便利である。
【考案を実施するための最良の形態】
【００１４】
　次に本考案の最良の実施形態について、図面に基づいて詳細に説明する。図１は本考案の最良の実施形態を示す図、図２は使用状態を示す図である。
【００１５】
　本考案に係る衣桁は、図１Ａに示す起立体１の一対と、図２に示すようにこれら起立体１、１間に橋渡し状に載置されるものとした図１Ｂに示す衣吊り棒部材２とを備えている。この際、一対の起立体１、１は対称構造となされたり或いは同一構造となされるが、ここでは対称構造にするものとする。いま一方の起立体１を代表的に説明すると、一対の支柱部材３、３と、これら支柱部材３、３の上端部を結合した上梁部材４と、これら支柱部材３、３の長さ途中を結合した上下２本の中梁部材５、５と、これら支柱部材３，３の下端部を結合した結合棒部材６とを備えた２つの方形枠体７ａ、７ｂを具備し、且つ一方の方形枠体７ａの一つの支柱部材３と他方の方形枠体７ｂの一つの支柱部材３とをヒンジ部材８で揺動可能に枢着したものとなしてある。
【００１６】
　この際、各支柱部材２は長さ（即ち、方形枠体７ａ、７ｂの高さＨ）を凡そ１６０〜１８０ｃｍ程度となされるのであり、具体的には厚さｔ凡そ１７ｍｍで巾ｂ０凡そ４５ｍｍ程度の方形断面となされており、長さは凡そ１７０ｃｍとなされている。
【００１７】
　また各方形枠体７ａ、７ｂにおける上梁部材４、上下２本の中梁部材５、５、及び結合棒部材６は、何れも長さを凡そ４０〜５０ｃｍ程度となされ、具体的には各方形枠体７ａ、７ｂにおける上梁部材４、中梁部材５、５及び結合棒部材６は長さを凡そ４６５ｍｍ程度となされ、また上梁部材４及び結合棒部材６は何れも厚さ凡そ１７ｍｍで巾ｂ１凡そ４５ｍｍ程度の方形断面となされ、また各中梁部材５は厚さ凡そ１７ｍｍで巾ｂ２凡そ３０ｍｍ程度の方形断面となされている。したがって、一方の方形枠体７ａの巾Ｂ１は凡そ５００ｍｍとなる。なお、各方形枠体７ａ、７ｂの巾Ｂ１は適当に異ならせることも差し支えない。
【００１８】
　そして、左右一対の起立体１、１のそれぞれの各上梁部材４の長さ途中の上縁個所には衣吊り棒部材２を上方から嵌め込み状に載置される半円弧状の凹み部４ａが形成されている。該凹み部４ａはその対応する上梁部材４の長さ中央個所に設けてもよいし、また上梁部材４の長さ途中の複数個所に仮想線ｋで示すように設けることも差し支えないのである。
【００１９】
　また結合棒部材６の下端面よりも下側の支柱部材３の長さＬ１は、床面の凹凸の存在下でも起立体１を安定的に支持させるべく、数ｃｍ（例えば２ｃｍ〜１０ｃｍ）程度になすのがよいのであり、具体的には凡そ３ｃｍ程度となされている。
【００２０】
　このように形成した一対の方形枠体７ａ、７ｂのうち、一方のものにおける１つの支柱部材３と他方のものにおける１つの支柱部材３との上部寄り個所及び下部寄り個所を２つのヒンジ部材８、８で結合している。
【００２１】
　そして、布吊り棒部材２は直径凡そ２〜４ｃｍ程度で長さ凡そ１７０〜１８０ｃｍ程度となされた木製の丸棒となされたり、或いは同等長さに寸法合わせした自然生えのままの竹で代用されるのであり、好ましくは直径凡そ３ｃｍ程度で長さ凡そ１７５ｃｍ程度となされる。
【００２２】
　次に上記した衣桁の使用例及び作用について説明する。
　先ず第一の使用例は次のように行う。
　図２に示すように、各起立体1、1を展示会場などの床面上に左右配置し、それぞれの起立体1に関連した２つの方形枠体７ａ、７ｂを凡そ９０度に開いた状態として各起立体１、１を自立させる。そして、各起立体１、１の一方の方形枠体７ａ、７ａは前後方向ｆ１に沿わせ、他方の方形枠体７ｂ、７ｂは左右方向ｆ２へ沿わせる。
【００２３】
　この状態の下で、前記一方の方形枠体７ａ、７ａの上梁部材４、４上の凹み部４ａ、４ａ間に一枚の着物ｗを展開して掛け吊した状態の衣吊り棒部材２を橋渡し状に係合させて載置する。この際、各凹み部４ａはその対応する方形枠体７ａの上梁部材４の長さ中央に存在するため、衣吊り棒部材２は極めて安定的に支持され、また該衣吊り棒部材２に掛け吊された着物ｗは前方ａ１の顧客が見やすい状態となる。
【００２４】
　また起立された状態の各起立体１、１の中梁部材５には着物ｗの帯ｗ１などを掛け吊すようにするのであり、この際、中梁部材５は各方形枠体７ａ、７ｂに２本存在するため、帯ｗ１など着物関連品の多数を展示する上で都合のよいものである。そして、左右方向に沿わせた方形枠体７ｂ、７ｂの中梁部材５に掛け吊した帯ｗ１などは後方ａ２の顧客が見やすい状態となり、前後方向ｆ１に沿わせた方形枠体７ａ、７ａの中梁部材５に掛け吊した帯ｗ１などは左右各側の顧客が見やすい状態となる。また中梁部材５は試着時の着物ｗや帯ｗ１などの一時的な置き場として使用できるのである。
　さらには衣吊り棒部材２を複数本を用意し、これら衣吊り棒部材２を左右配置された起立体１、１の方形枠体７ａ、７ａの上梁部材４、４間に同時に掛け渡してもよいのであり、また衣吊り棒部材２は左右配置された起立体１、１の方形枠体７ａ、７ａの中梁部材５、５間に掛け渡すことも差し支えない。
【００２５】
　次に第二の使用例は次のように行う。
　図３は第二の使用例を示している。この図に示すように、各起立体１、１の２つの方形枠体７ａ、７ｂのうち、左右方向ｆ２に沿わせたもの７ｂを、前後方向ｆ１に沿わせたもの７ａに対し左右方向ｆ２外側に位置させる。このようにすれば、衣吊り棒部材２に左右方向の力が作用するときの左右の起立体１、１の起立状態の安定性が向上するのであり、また衣吊り棒部材６の各端部がこれを前方から見たときに左右向きの方形枠体７ｂ、７ｂで隠される状態となって見栄えが良くなると共に人が衣吊り棒部材２の端部に誤って引っ掛かるなどの事態の生じ難いものとなる。また左右方向ｆ２に沿わせた方形枠部７ｂ、７ｂに掛け吊した帯ｗ１などが前方の顧客から見やすい状態となる。
【００２６】
　次に第三の使用例は次のように行う。
　図4は第三の使用例を示している。この図に示すように、各起立体１、１の２つの方形枠体７ａ、７ｂのうち、前側のもの７ａは前方ａ１へ向かうに伴って横外方へ変位する傾斜状に位置させ、後側のもの７ｂは後方ａ２へ向かうに伴って横外方へ変位する傾斜状に位置させる。
　そして、左右の起立体１、１の前側の方形枠体７ａ、７ａの上梁部材４、４の凹み部４ａ、４ａ間に衣吊り棒部材２を掛け渡すと同時に、左右の起立体１、１の後側の方形枠体７ｂ、７ｂの上梁部材４、４の凹み部４ａ、４ａ間にも衣吊り棒部材２を掛け渡す。
【００２７】
　これによれば、前側の衣吊り棒部材２に掛け吊された着物は前方ａ１の顧客が見やすい状態となり、また後側の衣吊り棒部材２に掛け吊された着物は後方ａ２の顧客が見やすい状態となり、また左側の起立体１の２つの方形枠体７ａ、７ｂの中梁部材５に掛け吊された帯ｗ１などは左側の顧客が見やすい状態となり、右側の起立体１の２つの方形枠体７ａ、７ｂの中梁部材５に掛け吊された帯ｗ１などは右側の顧客が見やすい状態となる。したがって、この使用例は、衣桁の周囲を取り巻くように顧客が位置する場所において効果的な展示が行えるものである。
【００２８】
　次に第四の使用例は次のように行う。
　図５は第四の使用例を示している。この図に示すように、各起立体１、１の２つの方形枠体７ａ、７ｂのうち、左側のもの７ａ、７ｂは前方ａ１へ向かうに伴って左側へ変位する傾斜状に位置させ、右側のもの７ｂ、７ａは前方ａ１へ向かうに伴って右側へ変位する傾斜状に位置させる。
　そして、左右各側の起立体１、１の２つの方形枠体７ａ、７ｂの２つの上梁部材４、４の２つの凹み部４ａ、４ａに、着物を掛け吊した状態の衣吊り棒部材２の各端部を掛け止めるようにする。
　これによれば、衣吊り棒部材２の各端部が１つの起立体１の２つの方形枠体７ａ、７ｂの２つの凹み部４ａ、４ａに同時に係合し着物の重みで圧接した状態となるため、各起立体１、１の２つの方形枠体７ａ、７ｂはその相対位置を衣吊り棒部材２により比較的強く保持されるようになり、衣桁全体の起立状態の安定性が向上する。また各起立体１、１の２つの方形枠体７ａ、７ｂの中梁部材５、５に掛け吊した帯ｗ１、ｗ１などは前方ａ１の顧客や後方ａ２の顧客により同時に見られる状態となる。
【００２９】
　上記した各使用例の配置において、左右の各起立体１、１を前後逆向きにしたり左右逆向きにしてもよいのであり、また鉛直線回りへ適当角度転向させて配置したり、さらには各起立体１における２つの方形枠体７ａ、７ｂのヒンジ部材８回りの開放角度を適当に変更しても差し支えない。
【図面の簡単な説明】
【００３０】
【図１】本考案に係る衣桁の基本構成を示す図である。
【図２】前記衣桁の第一使用例を示す図である。
【図３】前記衣桁の第二使用例を示す図である。
【図４】前記衣桁の第三使用例を示す図である。
【図５】前記衣桁の第四使用例を示す図である。
【図６】従来の衣桁を示す図である。
【符号の説明】
【００３１】
　１　起立体
　２　衣吊り棒部材
　３　支柱部材
　４　上梁部材
　４ａ　凹み部
　５　中梁部材
　６　結合棒部材
　７ａ　方形枠体
　７ｂ　方形枠体
　８　ヒンジ部材
　Ｂ１　巾
　Ｂ２　巾
　Ｈ　高さ
【図１】
0003100066.tif 000003
【図２】
0003100066.tif 000004
【図３】
0003100066.tif 000005
【図４】
0003100066.tif 000006
【図５】
0003100066.tif 000007
【図６】
0003100066.tif 000008